(57)【要約】【課題】ウォームアップ手段などの機構部品を追加することなく、低温起動時のディスク装置の制御を行うＣＰＵの温度を迅速に適温まで上昇させ、起動時の信頼性向上、起動時間の高速化を実現する記録再生装置の制御技術を提供する。【解決手段】記録再生装置１００の電子回路部１０１において、記録再生装置１００の温度を検出する温度センサ１１０と、この温度センサ１１０で検出された記録再生装置１００の温度が所定値以下である場合に、記録再生装置１００を制御するＣＰＵ１０８へ入力されたリセット信号が解除されても、ＣＰＵ１０８へリセット信号を入力することで、記録再生装置１００の動作を禁止させる判定回路１１１と、ＣＰＵ１０８の近傍に配置された発熱量の大きいレギュレータ１０９の回路構成部品などを備え、低温起動時に、レギュレータ１０９の発熱で迅速にＣＰＵ１０８の温度を上昇させ、低温時における信頼性を向上させる。【選択図】        図１
2004355738.tif 000002
【特許請求の範囲】
【請求項１】
ディスク状記録媒体をアクセスするディスク装置を搭載した記録再生装置であって、
前記記録再生装置の温度を検出する検出手段と、
前記検出手段で検出された前記記録再生装置の温度が所定値以下である場合に、前記記録再生装置の温度が所定値に到達するまで前記記録再生装置を制御するＣＰＵの動作を禁止する判定手段と、
前記ＣＰＵを配置し、前記ＣＰＵに対して所定の範囲内に所定の発熱量を持つ回路構成部品を配置し、起動時に前記回路構成部品の発熱で前記ＣＰＵの温度を上昇させることが可能な回路構成を有する電子回路部とを備えていることを特徴とする記録再生装置。
【請求項２】
電子回路部を備えた記録再生装置であって、
前記電子回路部は、前記記録再生装置を制御するＣＰＵと、所定の発熱量を持つ回路構成部品とを配置し、前記ＣＰＵに対して所定の範囲内に前記回路構成部品を配置し、起動時に前記回路構成部品の発熱で前記ＣＰＵの温度を上昇させることが可能な回路構成を有することを特徴とする記録再生装置。
【請求項３】
請求項１または２記載の記録再生装置において、
前記ＣＰＵと前記所定の発熱量を持つ回路構成部品との間隔は、０〜２ｍｍの範囲内であることを特徴とする記録再生装置。
【請求項４】
ディスク状記録媒体をアクセスするディスク装置を搭載した記録再生装置の制御方法であって、
起動時に、前記記録再生装置の温度を検出し、この検出された前記記録再生装置の温度が所定値以下である場合に、前記記録再生装置を制御するＣＰＵへ入力されたリセット信号が解除されても、前記記録再生装置の温度が所定値に到達するまで前記ＣＰＵへリセット信号を入力し続けて、前記ＣＰＵの動作を禁止することを特徴とする記録再生装置の制御方法。
【請求項５】
請求項４記載の記録再生装置の制御方法において、
前記ＣＰＵの動作を禁止している状態で、前記ＣＰＵに対して所定の範囲内に配置された所定の発熱量を持つ回路構成部品の発熱で前記ＣＰＵの温度を上昇させ、前記記録再生装置の温度が所定値に到達した時点で前記ＣＰＵへのリセット信号を解除して、前記ＣＰＵの動作を許可することを特徴とする記録再生装置の制御方法。
【発明の詳細な説明】
【０００１】
【発明の属する技術分野】
本発明は、ディスク状記録媒体をアクセスするディスク装置を搭載した記録再生装置に関し、特に低温環境下における起動時の記録再生装置の制御技術に適用して有効な技術に関する。
【０００２】
【従来の技術】
本発明者が検討したところによれば、ディスク状記録媒体をアクセスするディスク装置を搭載した記録再生装置の一例として、たとえばハードディスク装置を用いたデータ記録再生装置では、ディスク状の記録媒体であるハードディスクに磁気記録再生ヘッドを用いて高密度でデータの磁気記録再生を行う。このため、ディスク装置の制御を行うＣＰＵを装置内に持ち、外部からの制御信号に応じてディスク装置の制御を行い、データ記録再生装置に対する情報の書き込みや読み出しを行えるようになっている。
【０００３】
ここで、本発明者が本発明の前提として検討した、従来のディスク装置を搭載した記録再生装置を図５に示す。従来の記録再生装置は、ディスク装置を制御するための電子回路部１０１などを搭載し、この電子回路部１０１のアセンブリ基板上には、ホストインタフェース１０２、ハードディスクコントローラ１０３、サーボ制御回路１０４、信号処理回路１０５、データバッファ１０７、ＣＰＵ１０８、レギュレータ１０９、温度センサ１１０などが実装されている。この電子回路部１０１では、主に記録再生装置の小型化などを考慮して各回路構成部品がアセンブリ基板上に配置されている。
【０００４】
ところで、近年、ハードディスク装置を用いたデータ記録再生装置の普及により、カーナビゲーションシステムや車載型および携帯型データ記録再生装置などのように、屋外や寒冷地帯等の温度的に過酷な環境下で使用される機会が多くなってきている。このように、装置の温度が極端に低下した環境で起動した場合、ディスク装置の制御を行うＣＰＵが誤動作し、正常に起動しなかったり、制御異常により装置内のハードディスクや磁気記録再生ヘッドを損傷する恐れがある。
【０００５】
このため、従来は、たとえば特許文献１のように、ディスク装置に導熱プレートやパワーＦＥＴなどのウォームアップ手段を追加することで、装置が起動された場合、迅速にディスク装置の温度を適温に上昇させる方法がある。
【０００６】
【特許文献１】
特開平１０−３４０５２１号公報
【０００７】
【発明が解決しようとする課題】
しかしながら、近年、ディスク装置の機構部性能の向上により、温度が極端に低下した環境のデータ記録再生装置の起動においては、ディスク装置全体の温度を上昇させるよりも、ディスク装置の制御を行うＣＰＵを正常に起動させることが重要な問題となっている。
【０００８】
また、前述した従来のディスク装置を搭載した記録再生装置（図５）においては、主に記録再生装置の小型化などを考慮して各回路構成部品をアセンブリ基板上に配置してはいるが、低温起動時にＣＰＵを正常に起動させることについては配慮されていない。
【０００９】
さらに、前記特許文献１の技術では、起動時にディスク装置の温度を適温に上昇させるために、導熱プレートやパワーＦＥＴなどのウォームアップ手段を追加することが必要となり、新たに機構部品を付加しなければならない。
【００１０】
そこで、本発明は、記録再生装置の構成部品の配置を適切に行うことによって、ウォームアップ手段などの機構部品を追加することなく、低温起動時のディスク装置の制御を行うＣＰＵの温度を迅速に適温まで上昇させ、起動時の信頼性向上、起動時間の高速化を実現する記録再生装置の制御技術を提供することを目的とするものである。
【００１１】
【課題を解決するための手段】
本発明は、前記目的を達成するため、ディスク状記録媒体をアクセスするディスク装置を搭載した記録再生装置に適用され、記録再生装置の温度を検出する検出手段と、この検出手段で検出された記録再生装置の温度が所定値以下である場合に、記録再生装置を制御するＣＰＵへ入力されたリセット信号が解除されても、ＣＰＵへリセット信号を入力することで、記録再生装置の動作を禁止させる判定手段と、ＣＰＵの近傍に発熱量の大きい回路構成部品を配置することで、記録再生装置が起動された場合に、迅速にＣＰＵの温度を上昇させることが可能な回路構成を有する電子回路部を備えるものである。
【００１２】
特に、本発明による記録再生装置の電子回路部は、この電子回路部に必要な回路構成部品の内、レギュレータ等、発熱量の大きい回路部品をＣＰＵの近傍に配置することで、低温起動時に、迅速にＣＰＵの温度を上昇させることが可能な回路構成を有するようにしたものである。
【００１３】
また、本発明による記録再生装置の制御方法は、記録再生装置の動作を禁止または許可する判定手段は、ＣＰＵと検出手段と発熱量の大きい回路構成部品との配置により、一意に求められた所定値の値を用いて、低温起動時に、記録再生装置を制御するＣＰＵへ入力されたリセット信号が解除されても、ＣＰＵへリセット信号を入力することで、記録再生装置の動作を禁止するものである。
【００１４】
さらに、本発明による記録再生装置の制御方法では、記録再生装置の動作を禁止している状態で、ＣＰＵの近傍に配置された発熱量の大きい回路構成部品の発熱でＣＰＵの温度を上昇させ、記録再生装置の温度が所定値に到達した時点でＣＰＵへのリセット信号を解除して、記録再生装置の動作を許可するようにしたものである。
【００１５】
【発明の実施の形態】
以下、本発明の実施の形態を図面に基づいて詳細に説明する。
【００１６】
まず、図１により、本発明の一実施の形態による記録再生装置の構成および動作の一例を説明する。図１は、本実施の形態による記録再生装置の電子回路部の構成例を示したものである。
【００１７】
本実施の形態による記録再生装置１００は、たとえばカーナビゲーションシステムや車載型および携帯型データ記録再生装置などのように、屋外や寒冷地帯等の温度的に過酷な環境下で使用され、ディスク状記録媒体をアクセスするディスク装置（図示せず）や、回路構成部品がアセンブリ基板上に実装された電子回路部１０１などが搭載されて構成される。
【００１８】
電子回路部１０１は、ホストインタフェース１０２、ハードディスクコントローラ（以後、ＨＤＣと呼ぶ）１０３、サーボ制御回路１０４、信号処理回路１０５、データバッファ１０７、ＣＰＵ（中央処理装置）１０８、レギュレータ１０９、温度センサ１１０、判定回路１１１などを有して構成される。
【００１９】
電子回路部１０１のホストインタフェース１０２は、ホストコンピュータなどの情報処理装置に接続するためのインタフェースである。ＨＤＣ１０３は、データ受け渡しおよびフォーマットなどの制御をするためのコントローラである。サーボ制御回路１０４は、ディスク装置上の磁気記録再生ヘッド、および磁気ディスクの相対位置関係を制御するための制御回路部である。
【００２０】
信号処理回路１０５は、磁気ディスクのリード／ライト制御回路からの信号を処理するための処理回路である。データバッファ１０７は、データを一時記憶するためのバッファである。ＣＰＵ１０８は、電子回路部１０１の各回路を制御するための処理装置である。
【００２１】
レギュレータ１０９は、電子回路部１０１の各回路に電源を供給するための電圧源であり、回路構成部品の中で最も発熱量が大きい部品である。温度センサ１１０は、電子回路部１０１の温度を検出するための検出手段である。判定回路１１１は、温度センサ１１０から検出された温度が所定値以上であるかを離散値で判定し、検出された温度が所定値以下の場合、ＣＰＵ１０８にリセット信号を入力するための判定手段である。
【００２２】
以上のような電子回路部１０１の構成において、ＣＰＵ１０８は、システムコントローラとして主にＨＤＣ１０３の制御と、サーボ制御回路１０４を介してディスク装置のサーボ制御とを行う。このＣＰＵ１０８はリセット信号の入力端子があり、起動時、リセット入力が解除されることにより、ＣＰＵ１０８の起動シーケンスが開始される。
【００２３】
特に、本実施の形態の電子回路部１０１においては、発熱量が大きいレギュレータ１０９がＣＰＵ１０８の近傍に配置されているため、記録再生装置１００の起動時、ＣＰＵ１０８の温度をレギュレータ１０９からの発熱により迅速に上昇させることができる。また、温度センサ１１０も、ＣＰＵ１０８に近い位置の温度を検出することができるように、ＣＰＵ１０８の近傍に配置されている。
【００２４】
これらのレギュレータ１０９および温度センサ１１０は、記録再生装置１００の電子回路部１０１の必要な構成部品として、一般に使用されている。このため、判定回路１１１のみが従来からの構成部品に対する追加構成部品となる。
【００２５】
次に、図２により、レギュレータとＣＰＵとの配置に関して、距離と温度との関係をシミュレーションした結果の一例を説明する。図２は、部品からの距離と基板温度との関係を示したものである。
【００２６】
このシミュレーションにおいては、レギュレータ１０９に相当する部品として、発熱量が０．４Ｗで、外形寸法が１．２ｍｍ（幅）×２．８ｍｍ（長さ）×０．５ｍｍ（高さ）の発熱体を基板上に実装して行った。その結果、部品からの距離が０〜約２ｍｍまでの範囲では、基板の温度が約１０４℃〜約８０℃まで、ほぼ直線的に減少する結果が得られた。このシミュレーション結果から、この直線部分を使用すれば、動作環境の温度に対して距離が一意に求まるので、ＣＰＵ１０８とレギュレータ１０９の距離は、たとえば外形間が０〜約２ｍｍまでの範囲内に配置することが望ましく、できる限りレギュレータ１０９をＣＰＵ１０８の近くに配置することが良好となる。
【００２７】
次に、図３および図４により、電子回路部における判定回路の構成および動作の一例を説明する。それぞれ、図３は判定回路の回路論理例を示し、図４は判定回路のタイミング例を示したものである。
【００２８】
判定回路１１１は、図３に示すように、入力端子２０１，２０２、レジスタ２０３、比較回路２０４、セレクタ２０５、出力端子２０６などを有して構成される。
【００２９】
入力端子２０１には、外部のホストコンピュータからＣＰＵ１０８へのリセット信号が入力される。入力端子２０２には、温度センサ１１０から検出された、離散値表現（デジタル値）された記録再生装置１００の温度が入力される。
【００３０】
レジスタ２０３は、入力端子２０２に入力された温度と比較するために、あらかじめ設定された温度を格納しておくためのレジスタである。このレジスタ２０３は、記録再生装置１００の用途に応じ、書き換え可能なレジスタにすることも可能である。このレジスタ２０３に設定される値は、ＣＰＵ１０８、レギュレータ１０９、温度センサ１１０の配置によって適正な値を一意に求めることができる。
【００３１】
比較回路２０４は、入力端子２０２から入力された温度センサ１１０による温度とレジスタ２０３に設定された温度とを比較し、入力された温度が設定された温度以上の場合、真の値として出力する回路である。
【００３２】
セレクタ２０５は、比較回路２０４からの出力に応じ、入力端子２０１に入力されたリセット信号の値をそのままＣＰＵ１０８に出力するか、このリセット信号の値に関わらず、温度センサ１１０による温度とレジスタ２０３への設定値との比較結果に基づいて、ＣＰＵ１０８にリセット値を出力するかを選択する回路である。
【００３３】
以上のように構成される判定回路１１１は、たとえば図４に示すように、セレクタ２０５の入力端子Ａ、入力端子Ｂに入力される信号に対して、制御端子Ｒへの制御信号に基づいて、所定の信号が出力端子Ｃから出力される。
【００３４】
たとえば、起動時に、外部のホストコンピュータから判定回路１１１の入力端子２０１に対して、ＣＰＵ１０８へ入力されるリセット信号が入力され、セレクタ２０５の入力端子Ａに入る。このリセット信号は、“Ｈ”レベルから“Ｌ”レベルになることでリセット状態になり、このリセット状態から所定時間後に“Ｌ”レベルから“Ｈ”レベルになってリセット状態が解除される。
【００３５】
ところが、低温起動時には、温度センサ１１０で検出された記録再生装置１００の温度がレジスタ２０３に設定された温度以下であるため、この場合には、ＣＰＵ１０８へ入力されるリセット信号が解除されても、記録再生装置１００の温度がレジスタ２０３に設定された温度に到達するまで制御端子Ｒへの制御信号を“Ｈ”レベルにし続け、セレクタ２０５の出力端子Ｃからの信号を“Ｌ”レベルに保持したままＣＰＵ１０８へリセット信号を入力する。これにより、ＣＰＵ１０８の動作を禁止することができる。
【００３６】
このＣＰＵ１０８の動作を禁止している状態で、ＣＰＵ１０８の近傍に配置されたレギュレータ１０９の発熱でＣＰＵ１０８の温度を上昇させ、そして記録再生装置１００の温度がレジスタ２０３に設定された温度に到達した時点で制御端子Ｒへの制御信号を“Ｌ”レベルにし、セレクタ２０５の出力端子Ｃからの信号を“Ｌ”レベルから“Ｈ”レベルに切り換えてＣＰＵ１０８へのリセット信号を解除する。これにより、ＣＰＵ１０８の動作を許可することができる。
【００３７】
従って、本実施の形態の記録再生装置１００によれば、起動時に、この起動時の温度に応じてＣＰＵ１０８の動作を禁止し、迅速にＣＰＵ１０８の温度を適温に上昇させてＣＰＵ１０８の動作を許可することで、記録再生装置１００の信頼性の高い動作を保証することができる。
【００３８】
なお、本実施の形態においては、ＣＰＵ１０８の近傍に配置して、低温起動時に、ＣＰＵ１０８の温度を上昇させる回路構成部品としてレギュレータ１０９を例に説明したが、記録再生装置１００の回路構成部品として必要なものであれば、レギュレータ１０９以外のものでもよい。
【００３９】
また、判定回路１１１に一定時間以上、温度センサ１１０で検出された離散値表現された記録再生装置１００の温度が、レジスタ２０３の設定値以上にならない場合、判定回路１１１の機能を停止させ、入力端子２０１のリセット信号の値をそのままＣＰＵ１０８に入力し、低温起動エラーであることを示す信号をＣＰＵ１０８に出力する論理を追加することで、低温起動時の信頼性をより高めることも可能である。
【００４０】
また、判定回路１１１を応用することで、記録再生装置１００の温度が設定された温度以上になった場合、逆に高温起動エラーであることを示す信号をＣＰＵ１０８に出力し、その後、ＣＰＵ１０８にリセット信号を入力することで、高温時の記録再生装置１００の動作を停止し、記録再生装置１００の保護を行うことも本発明の応用例として含めることができる。
【００４１】
【発明の効果】
以上説明したように、本発明によれば、記録再生装置の温度を検出し、この記録再生装置の温度が所定値以下である場合に、記録再生装置を制御するＣＰＵの動作を禁止すると同時に、ＣＰＵの近傍に配置された回路構成部品の発熱によってＣＰＵの温度を迅速に適温まで上昇させることで、ＣＰＵの誤動作を防止し、起動時の信頼性向上、起動時間の高速化を実現して、信頼性の高い動作を保証する記録再生装置を提供することが可能となる。
【００４２】
また、本発明によれば、ウォームアップ手段などの機構部品を追加することなく、記録再生装置の回路構成部品により実現することができるため、記録再生装置の価格を増大させることなく、対価格効果が高く、商品性の向上を図ることが可能となる。
【図面の簡単な説明】
【図１】本発明の一実施の形態による記録再生装置の電子回路部の構成例を示す図である。
【図２】本発明の一実施の形態において、部品からの距離と基板温度との関係を示す図である。
【図３】本発明の一実施の形態において、電子回路部における判定回路の回路論理例を示す図である。
【図４】本発明の一実施の形態において、電子回路部における判定回路のタイミング例を示す図である。
【図５】本発明の前提として検討した、従来の記録再生装置の電子回路部の構成例を示す図である。
【符号の説明】
１００…記録再生装置、１０１…電子回路部、１０２…ホストインタフェース、１０３…ハードディスクコントローラ、１０４…サーボ制御回路、１０５…信号処理回路、１０７…データバッファ、１０８…ＣＰＵ、１０９…レギュレータ、１１０…温度センサ、１１１…判定回路、２０１，２０２…入力端子、２０３…レジスタ、２０４…比較回路、２０５…セレクタ、２０６…出力端子。
【図１】
2004355738.tif 000003
【図２】
2004355738.tif 000004
【図３】
2004355738.tif 000005
【図４】
2004355738.tif 000006
【図５】
2004355738.tif 000007